(57)【要約】【課題】光ディスクのタイトル機能を有効活用すること。【解決手段】光ディスク２のファイナライズを行うための選択画面５０にディスクタイトル表示領域５２を設け、このディスクタイトル表示領域５２に光ディスク２から読み出したディスクタイトルを表示するようにしている。これにより、光ディスク２のファイナライズの実行前にユーザに対してディスクタイトルの確認や入力、編集を促すことが可能になる。【選択図】        図８
2004206831.tif 000002
【特許請求の範囲】
【請求項１】
記録媒体にデータの記録を行うことができる記録装置において、
前記記録媒体にタイトル情報の書き込みを行う書込手段と、
前記記録媒体から前記タイトル情報の読み出しを行う読出手段と、
前記記録媒体のファイナライズの実行を選択可能な選択画面に対して設けられた前記記録媒体のタイトルを表示するタイトル表示領域に、前記記録媒体から読み出したタイトル情報を表示させるように表示制御を行う制御手段と、
を備えていることを特徴する記録装置。
【請求項２】
前記選択画面には、
前記タイトル情報の入力または編集を行うタイトル情報作成画面に移行させるための選択項目が設けられていることを特徴とする請求項１に記載の記録装置。
【請求項３】
前記書込手段は、
前記記録媒体に対してデータの書き込みを行う際に、前記記録媒体にタイトル情報が記録されていないときは、前記記録媒体に対してタイトル情報として固有情報を書き込むようにしたことを特徴とする請求項１に記載の記録装置。
【請求項４】
前記固有情報は、
前記記録媒体に最初にデータの書き込みを始めたときの日時情報としたことを特徴とする請求項１に記載の記録装置。
【請求項５】
前記タイトル情報は、
前記記録媒体のディスクタイトルを示す情報とされることを特徴とする請求項１に記載の記録装置。
【発明の詳細な説明】
【０００１】
【発明の属する技術分野】
本発明は、光ディスクに対してデータの書き込みが可能な記録装置に関わり、特に、光ディスクにディスクタイトルの書き込むのに好適なものである。
【０００２】
【従来の技術】
従来、大容量の光ディスクであるＤＶＤにおいて、書き込み可能な光ディスクは、１回のみ書き込み可能なＤＶＤ−Ｒ（ＤＶＤ−Recordable）、追記可能なＤＶＤ−ＲＷ（ＤＶＤ−Rewritable）、ＤＶＤ−ＲＡＭ（ＤＶＤ−Random Access Memory）が提供されている。これらの光ディスクのうち、ＤＶＤ−Ｒ、ＤＶＤ−ＲＷは、ＤＶＤビデオフォーマットに準拠したフォーマットでビデオデータを記録してファイナライズすることで、再生専用の光ディスクとの互換性を図るようにした提案がされている（特許文献１）。
【０００３】
【特許文献１】特開２００１−１４８１６６号公報
【０００４】
【発明が解決しようとする課題】
ところで、ＤＶＤビデオフォーマットとして、１枚のＤＶＤディスクに名前を入力する機能であるディスクタイトル（Disc Representative Name）機能がある。
このようなディスクタイトル機能によれば、光ディスクを初期化した後ならば、任意の時点でディスクタイトルの入力や編集を行うことが可能とされるが、通常は、ファイナライズを行った後は入力及び編集を行うことができなくなる。
このため、例えばユーザがディスクタイトルの入力や編集操作方法を知らない場合や、ユーザが知っていても積極的にディスクタイトルの入力や編集を行わない場合には、ディスクタイトルを入力する機会を逃してしまう可能性が高く、ディスクタイトル機能を有効活用していないのが現状であった。
【０００５】
そこで、本発明は上記したような点を鑑みてなされたものであり、光ディスクのタイトル機能を有効活用できる記録装置を提供することを目的とする。
【０００６】
【課題を解決するための手段】
上記目的を達成するため、本発明の記録媒体にデータの記録を行うことができる記録装置は、記録媒体にタイトル情報の書き込みを行う書込手段と、記録媒体からタイトル情報の読み出しを行う読出手段と、記録媒体のファイナライズの実行を選択可能な選択画面に対して設けられた記録媒体のタイトルを表示するタイトル表示領域に、記録媒体から読み出したタイトル情報を表示させるように表示制御を行う制御手段とを備えている。
【０００７】
本発明によれば、記録媒体のファイナライズを行うための選択画面にタイトル表示領域を設け、選択画面を表示するときは、タイトル表示領域に、記録媒体から読み出したタイトル情報を表示させることで、ファイナライズを実行する際に、必ず表示される選択画面において記録媒体のタイトルを表示させることが可能になる。
【０００８】
【発明の実施の形態】
以下、本発明の実施の形態について説明していく。
図１は、本発明の実施の形態としての光ディスク装置のブロック図である。
なお、本実施の形態としての光ディスク装置は、可搬型のビデオカメラに搭載され、カメラ装置部からの入力される画像（静止画又は動画）や音声等を光ディスクに記録に記録したり、或いは光ディスクからデータを再生するような構成を採るものとされる。
【０００９】
この図１に示す光ディスク装置１において、映像入力部３は、図示しないカメラ装置部より得られる撮像結果である映像信号、或いは外部機器から入力される映像信号をアナログ／デジタル変換処理を行ってビデオデータとして出力するようにされる。
なお、図示していないカメラ装置部は、マイコン４により制御され、動画による撮像結果、或いは静止画による撮像結果を出力するようにされる。
この結果、映像入力部３では、マイコン４によるカメラ装置部の制御に応動して、動画または静止画によるビデオデータを選択的に出力するようにされる。
【００１０】
オーディオ入力部５は、図示しないマイクにて取得される音声信号、外部入力による音声信号をアナログ／デジタル変換処理してオーディオデータとして出力するようにされる。
【００１１】
圧縮／伸長処理部６は、マイコン４の制御により、動作を切り換え、記録再生に供するデータを処理する。即ち、記録時は、映像入力部３、オーディオ入力部５から入力されるビデオデータ、オーディオデータを、ランダムアクセスメモリ（ＲＡＭ）９を用いて、データ圧縮して多重化処理し、ヘッダー情報処理部７に出力するようにされる。
またこれとは逆に、再生時は、ランダムアクセスメモリ９を用いて、ヘッダー情報処理部７より得られるデータをビデオデータ及びオーディオデータに分離した後、それぞれデータ伸長して出力するようにされる。
【００１２】
即ち、圧縮／伸長処理部６のビデオ処理部８は、マイコン４の制御により、記録時、映像入力部３から出力されるビデオデータをデータ圧縮して出力する。このとき、ビデオデータが動画によるビデオデータの場合、ＭＰＥＧ（Moving Picture Experts Group）２のフォーマットによりデータ圧縮するのに対し、ビデオデータが静止画によるビデオデータの場合、ＪＰＥＧ（Joint Photographic Coding Experts Group）のフォーマットによりデータ圧縮するようにされる。また、ビデオ処理部８は、再生時、多重化処理部１０から出力されるビデオデータを、このビデオデータのデータ圧縮フォーマットに対応してデータ伸長して出力するようにされる。
【００１３】
また圧縮／伸長処理部６のオーディオ処理部１１は、記録時、オーディオ入力部５から出力されるオーディオデータをＭＰＥＧ、ドルビーオーディオ、またはリニアＰＣＭ等のフォーマットによりデータ圧縮して出力する。またこれとは逆に、再生時、多重化処理部１０から得られるオーディオデータをデータ伸長して出力するようにされる。
【００１４】
圧縮／伸長処理部６の多重化処理部１０は、記録時、ビデオ処理部８から出力されるビデオデータ、オーディオ処理部１１から出力されるオーディオデータを時分割多重化してヘッダー情報処理部７に出力する。またこれとは逆に、再生時、ヘッダー情報処理部７から出力される時分割多重化データよりビデオデータ及びオーディオデータを分離し、それぞれビデオ処理部８、オーディオ処理部１１に出力するようにされる。
【００１５】
モニタ部１２は、映像入力部３から入力されるビデオデータ、オーディオ入力部５から入力されるオーディオデータ、または圧縮／伸長処理部６から出力されるビデオデータ、オーディオデータをモニタする表示機構、音声処理機構により構成される。これにより、本実施の形態の光ディスク装置１では、撮像結果をモニターし、再生結果をモニターするようにされる。
【００１６】
ビデオ／オーディオエンコーダ１３は、オーディオ入力部５から入力されるビデオデータ及びオーディオデータ、又は圧縮／伸長処理部６から出力されるビデオデータ及びオーディオデータを所定フォーマットによりデータ圧縮して外部機器に出力する。これにより、本実施の形態の光ディスク装置１では、撮像結果、再生結果を外部機器でモニタできるようにされる。
【００１７】
ヘッダー情報処理部７は、（記録時、圧縮／伸長処理部６から出力される時分割多重化データを受け、マイコン４の制御により、ＤＶＤに固有のヘッダー情報、後述する拡張ファイルのヘッダー情報等を付加して出力する。）、マイコン４からの情報により、後述するＤＶＤのファイルシステムエリア、ＤＶＤ管理用情報エリア、リアルタイムデータ記録エリアなどに記録されているデータを生成してＤＶＤ信号処理部１４に出力するようにされる。
また、再生時等において、ＤＶＤ信号処理部１４の出力データから、記録時に付加したヘッダー情報を分離して圧縮／伸長処理部６に出力するようにされる。
【００１８】
ＤＶＤ信号処理部１４は、記録時、ランダムアクセスメモリ１５を用いて、ヘッダー情報処理部７の出力データよりエラー訂正符号を生成し、このエラー訂正符号をこの出力データに付加する。またスクランブル処理、８／１６変調等の処理を実行し、その処理結果によるデータ列をシリアルデータ列によりアナログフロントエンド部１６に出力するようにされる。
【００１９】
これに対して、再生時、ＤＶＤ信号処理部１４は、記録時とは逆に、アナログフロントエンド部１６の出力データを復号処理、デスクランブル処理、エラー訂正処理し、処理結果をヘッダー情報処理部７に出力するようにされる。
またＤＶＤ信号処理部１４は、マイコン４から出力されるスピンドル制御用、トラッキング制御用、フォーカス制御用、スレッド制御用の各種駆動情報をデジタルアナログ変換処理してこれらの駆動信号を生成し、これら駆動信号をモーターアンプ部１８に出力するようにされる。
【００２０】
アナログフロントエンド部１６は、光学ヘッド１９から光ディスク２に照射するレーザービームについて、光量制御信号を生成して出力するようにされる。
アナログフロントエンド部１６は、再生時、この光量制御信号により光学ヘッド１９から光ディスク２に照射するレーザービームの光量を再生用の一定光量に保持するのに対し、記録時、ＤＶＤ信号処理部１４からの出力データに応じてこの光量制御信号の信号レベルを変化させ、これによりこのＤＶＤ信号処理部１４からの出力データに応じてレーザービームの光量を再生時の光量から記録の光量に間欠的に立ち上げる。
【００２１】
またアナログフロントエンド部１６は、光学ヘッド１９から得られる戻り光の受光結果を増幅して演算処理することにより、光ディスク２に形成されたピット列に対応して信号レベルが変化する再生信号を生成し、この再生信号の信号処理によりこの再生信号の２値識別結果である再生データをＤＶＤ信号処理部１４に出力する。またこの演算処理により、トラッキングエラー量、フォーカスエラー量に応じて信号レベルが変化するトラッキングエラー信号、フォーカスエラー信号等を生成し、これらの信号をデジタル信号によりマイコン４に出力するようにされる。
【００２２】
モーターアンプ部１８は、ＤＶＤ信号処理部１４から出力される各種駆動信号により、それぞれ対応する機構を駆動する。即ちモーターアンプ部１８は、これらの駆動信号のうち、スピンドル制御用の駆動信号、スレッド制御用の駆動信号によりスピンドルモータ２０、スレッドモータ２１を回転駆動する。またトラッキング制御用の駆動信号、フォーカス制御用の駆動信号により光学ヘッド１９に搭載のアクチュエータを駆動するようにされる。
【００２３】
スピンドルモータ２０は、光ディスク２をチャッキングして所定の回転速度により回転駆動する。スレッドモータ２１は、光学ヘッド１９を光ディスク２の半径方向に可動させる。
【００２４】
光学ヘッド１９は、アナログフロントエンド部１６から出力される光量制御信号により内蔵の半導体レーザーからレーザービームを出射し、対物レンズを介してこのレーザービームを光ディスク２の情報記録面に集光する。またこのレーザービームの照射により光ディスク２から得られる戻り光をこの対物レンズを介して所定の受光素子に導き、この受光素子の受光結果をアナログフロントエンド部１６に出力するようにされる。
【００２５】
光学ヘッド１９は、この対物レンズがトラッキング制御用の駆動信号、フォーカス制御用の駆動信号により駆動されるアクチュエータにより可動するようになされ、これによりトラッキング制御、フォーカス制御できるようにされている。またレーザービームの光量が光量制御信号により間欠的に立ち上げられ、これにより光ディスク２の情報記録面を局所的に温度上昇させて所望のデータを記録するようにされる。
【００２６】
マイコン４は、この光ディスク装置１全体の動作を制御するコンピュータであり、この光ディスク装置１に事前にインストールされた処理プログラムを実行することにより、操作部２２を介して得られるユーザーの操作により、さらにはアナログフロントエンド部１６で検出される各種信号等により、各部の動作を制御するようにされる。
【００２７】
即ち、マイコン４は、アナログフロントエンド部１６で検出されるトラッキングエラー信号、フォーカスエラー信号により、トラッキング制御用、フォーカス制御用の駆動情報を生成し、ＤＶＤ信号処理部１４でアナログ信号に変換してモーターアンプ部１８に出力し、これによりトラッキング制御、フォーカス制御の処理を実行する。またヘッダー情報処理部７で検出されるヘッダー情報等によりレーザービーム照射位置を検出し、この検出結果よりスレッド制御用の駆動情報を生成してＤＶＤ信号処理部１４に出力する。これにより、シーク等の処理を実行する。また同様にしてスピンドル制御の処理を実行するようにされる。
【００２８】
操作部２２は、所要の操作キーが設けられ構成される。また、それ以外でも例えば赤外線や電波を利用したリモートコマンダ、さらにはモニタ部１２に押圧操作を関知してこれを操作情報として出力するタッチパネル機構を設け、モニタ部１２に表示した操作画像に対して押圧操作を行う、いわゆるＧＵＩ（Graphical User Interface）としての操作が可能になるように構成されている。また操作部２２は、キーボードやマウス、ジョイスティックやゲームパッドなどによりを構成することも考えられる。
【００２９】
また、ユーザが操作部２２に対して所要の操作を行うことで、マイコン４は、操作部２２の操作に応じて得られる所要の文字情報を一時的に保持したうえで、所定のタイミングでもって、ＤＶＤ信号処理部１４に出力するようにされる。
これにより、マイコン４に一時的に保持されていた文字情報がディスクタイトル情報として光ディスク２のＤＶＤ管理用情報エリアに記録可能とされる。
【００３０】
また、マイコン４は、初期化された状態で、まだ何も記録されていないディスク２にデータを記録する際には、例えば操作部２２により記録操作が行われた時点の日時情報を計時部２３から取得して、その日時情報をディスクタイトル情報として光ディスク２に書き込む処理を実行するようにされる。
【００３１】
また、マイコン４は、操作部２２から光ディスク２のファイナライズを実行させる操作情報が入力された場合において、光ディスク２にディスクタイトルが記録されていないときは、ユーザに対してディスクタイトルの入力を促すような表示処理を実行するようにされる。なお、マイコン４が実行するディスクタイトルに関する処理については詳細に後述する。
【００３２】
図２は、上記したような光ディスクにおけるＤＶＤビデオフォーマットを示した図である。
この図２に示すように、ＤＶＤビデオフォーマットによる光ディスクは、図２（Ａ）に示すように、その情報記録面が、先頭側である最内側よりリードイン（Lead in）、データゾーン（Data Zone）、リードアウト（Lead out）に区切られている。そして、データゾーンに所望のビデオデータ等が記録される。
【００３３】
データゾーンは、リードイン側より、ＵＤＦ（Universal Disk Format ）領域（ファイルシステムエリア）Ａ１、ＶＭＧ（Video Manager ）領域（ＤＶＤ管理用情報エリア）Ａ２、リアルタイムデータ記録エリアＡ３に区分される。
ＵＤＦ領域及びＶＭＧ領域は、この光ディスクに記録されたビデオデータによるファイルを管理する管理用情報記録領域である。これらのＵＤＦ領域及びＶＭＧ領域のうち、ＶＭＧ領域は、ＤＶＤ記録再生装置に対応する領域であり、リアルタイムデータ記録エリアＡ３に記録されたビデオデータ全体を管理する管理用情報であるＴＯＣの情報が記録される。
【００３４】
これに対して、ＵＤＦ領域Ａ１は、コンピュータによるファイル管理システムに対応する領域であり、コンピュータにおけるファイルシステムとの互換を図るフォーマットによりリアルタイムデータ記録エリアＡ３に記録したビデオデータ全体を管理する管理用情報が記録される。
【００３５】
リアルタイムデータ記録エリアＡ３は、実データを記録するプログラムエリアであり、同図（Ｂ）示されているように、ＶＴＳ（Video Title Set ）を単位にして、ビデオデータが記録される。
なお、ＶＴＳは、最大で９９個まで設けることができるようにされている。
ここで、ＶＴＳは、同図（Ｃ）に示すように、先頭側より、ＶＴＳＩ（Video Title Set Information ）、ＶＴＳＭ  ＶＯＢＳ（Video Object Set for the VTSM ）、ＶＴＳＴＴ  ＶＯＢＳ(Video Object SetFor Titl es in a VTS)、ＶＴＳＩ  ＢＵＰ（Backup of VTSI）により構成される。
ＶＴＳＴＴ  ＶＯＢＳには、実データであるＭＰＥＧ２のフォーマットによるビデオデータが記録される。
ＶＴＳＩには、この実データによるビデオデータを管理する管理用情報である記録位置情報等が記録される。
ＶＴＳＭ  ＶＯＢＳには、ビデオデータのタイトルメニューが記録される。
なお、ＶＴＳＭ  ＶＯＢＳは、オプションである。ＶＴＳＩ  ＢＵＰは、ＶＴＳＩのバックアップである。
【００３６】
また、この種の光ディスク２においては、コンピュータによりアクセスする場合は、ＵＤＦにより所望するファイルを検索して再生することができるようにされる。例えばＤＶＤプレイヤーによりアクセスする場合には、ＶＭＧにより所望するファイルを検索して再生することができるようにされる。
これにより、ＵＤＦは、コンピュータのファイル管理システムに対応して光ディスクに記録されたビデオデータの管理用情報を構成するのに対し、ＶＭＧは、ＤＶＤプレイヤーに対応して光ディスク２に記録されたビデオデータの管理用情報を構成するようにされる。
【００３７】
本実施の形態として光ディスク装置１においては、光ディスク２にディスクタイトルを記録する場合には、上記図２に示したＤＶＤ管理情報エリアであるＶＭＧ領域Ａ２に記録されることになる。
【００３８】
図３はディスクタイトルエリアの構造を示した図である。
この図３に示すように、ディスクタイトルエリアは、１バイトのキャラクタセットコードエリアと、１２８バイトのタイトルエリアとにより形成されている。１２８バイトのタイトルエリアは、６４バイトの「ＡＳＣＩＩ」コードエリアと、同じく６４バイトの「ｏｔｈｅｒ」コードエリアとに区分されており、キャラクタセットコードエリアのコード情報により、何れかのタイトルエリアにディスクタイトル情報が記録される。
例えば、キャラクタセットコードエリアに「００ｈ」というコード情報が書き込まれたときは、図３に示す２つのタイトルエリアの内、ＡＳＣＩＩコードエリアにＡＳＣＩＩ（ＩＳＯ／ＩＥＣ６４６：１９８３）によりディスクタイトル情報を書き込むようにしている。
また、キャラクタセットコードエリアに対して「１１ｈ」「１２ｈ」「１３ｈ」「１４ｈ」の何れかのコード情報が書き込まれたときは、図３に示すように、ｏｔｈｅｒコードエリアに、それぞれ「ＩＳＯ８８５９−１：１９８７」、「Ｓｈｉｆｔ−ＪＩＳ」、「ＫＳ  Ｃ  ５６０１−１９８７」、「ＫＳ  Ｃ  ５７００−１９９５」の何れかによりディスクタイトル情報を書き込むようにしている。
【００３９】
ところで、光ディスクのアプリケーションフォーマットには、ＶＲ（Video Recording）と、ＶＦ（Video Format Recording）という２種類のフォーマットがある。
ＶＲフォーマットは書き換え可能なフォーマットであり、ＶＦは書き換えは不可能なフォーマットとされる。このため、１回のみ書き換え可能なＤＶＤ−Ｒには、このＶＦフォーマットが採用される。
これに対して、追記可能なＤＶＤ−ＲＷには、ＶＲフォーマットとＶＦフォーマットの何れのフォーマットも採用可能とされる。
【００４０】
ＶＦとは、通常、ＤＶＤを初期化してからファイナライズするまでの中間状態を指し、このＶＦフォーマットの光ディスク２をファイナライズ処理することにより、いわゆるＤＶＤ−ＶＩＤＥＯフォーマットになるようにされる。
このため、通常は、光ディスク２をＶＦでフォーマットすることをＶＩＤＥＯモードによるフォーマットと呼ばれている。
そして、このようなＶＦで初期化された光ディスク２をファイナライズすることにより、後述する図５（ａ）に示したＴＭＰ＿ＶＭＧＩの部分が変化して、上記図２（ａ）に示したＶＭＧ領域Ａ２の一部を形成するようにされる。
【００４１】
一方、ＶＲは、初期化してからファイナライズしても変化することなく、ＶＲフォーマットのままとされる。即ち、上記ＶＦフォーマットのように、ファイナライズした後にＤＶＤ−ＶＩＤＥＯフォーマットにはならないものとされる。
また、ファイナライズ前後で全体の構造に変化はなく、後述する図４（ａ）に示された構造のままとされる。また、論理ファイルアクセスのため、上記図２に示したようなビデオフォーマットの構造のように表現することはできないものとされる。
【００４２】
但し、これらＶＦとＶＲに関して共通して言えることは、どちらもファイナライズすることにより再生専用装置により再生可能とされるものである。
【００４３】
ここで、各アプリケーションフォーマットにおけるディスクタイトルエリアを図４、図５を示しておく。
図４は、ＶＲフォーマットにおけるディスクタイトルエリアを示した図である。
この図４（ａ）に示すように、ＶＲフォーマットにおいては、ＶＲ＿ＭＡＮＧＲ．ＩＦＯ（Video Recording Manager Information）フォルダ内にはＲＴＲ＿ＶＭＧ（Real Time Recording Video Manager）フォルダが設けられている。そしてこのＲＴＲ＿ＶＭＧフォルダ内にはＲＴＲ＿ＶＭＧＩ（RTR Video Manager Information）フォルダが設けられている。そして、このＲＴＲ＿ＶＭＧＩフォルダ内にはＶＭＧＩ＿ＭＡＴ（VMGI Management Table）フォルダが設けられている。さらに、このＶＭＧＩ＿ＭＡＴフォルダ内にディスクタイトルを記録するための領域が設けられている。
そして、図４（ｂ）に示すように、ＶＭＧＩ＿ＭＡＴフォルダのＲＢＰ（０〜５１１）の内、ＲＢＰ（６７）により示される領域に１バイトのキャラクタセットエリアが設けられている。またＲＢＰ（９８）〜（２２５）の領域に１２８バイトのタイトルエリアが設けられている。
【００４４】
図５はＶＦフォーマットにおけるディスクタイトルエリアを示した図である。この図５（ａ）に示すように、ＶＦフォーマットにおいては、ＶＭＧ領域の形成されたＴＥＭＰ＿ＶＭＧＩ（Temporary VMGI）フォルダ内にＴＥＭＰ＿ＶＭＧＩ＿ＭＡＴ（TEMP_VMGI Management Table）フォルダが設けられている。そして、このＴＥＭＰ＿ＶＭＧＩ＿ＭＡＴフォルダ内にディスクタイトルを書き込むための領域が設けられている。
そして、この図５（ｂ）に示すように、ＴＥＭＰ＿ＶＭＧＩ＿ＭＡＴフォルダのＲＢＰ（０〜５１１）の内、ＲＢＰ（３９）により示される領域に１バイトのキャラクタセットエリアが設けられ、ＲＢＰ（１２８）〜（２５５）の領域に１２８バイトのタイトルエリアが設けられている。
【００４５】
以下、本実施の形態としての光ディスク装置１におけるディスクタイトルの入力機能について説明していくことにする。
先ず、本実施の形態としての光ディスク装置１において、ＶＲまたはＶＦフォーマットによって初期化された光ディスク２で、まだ何も記録されていない光ディスク（バージンディスク）が装填されたとする。そして、そのような光ディスク２に対してユーザがディスクタイトルの入力を行わないで、データを記録するために所要の記録操作を行ったとする。
この場合、本実施の形態の光ディスク装置１では、光ディスク２に対するデータの書き込みを行うと共に、そのようなデータの書き込みと並行して、ディスクタイトルの書き込みを行うようにしている。
【００４６】
即ち、光ディスク装置１においては、初期化された状態にある光ディスク２に対して最初にデータを記録する記録動作（以下、「１ｓｔ  Ｒｅｃ」と表記する）が行われるまでの間に、ユーザがディスクタイトルの入力を行わなかったときは、光ディスク２にディスクタイトルを自動的に書き込むようにしている。
また、このとき、本実施の形態の光ディスク装置１においては、１ｓｔ  Ｒｅｃ時の日時情報をディスクタイトル情報として光ディスク２に書き込むようにしている。
【００４７】
図６は、光ディスクに自動記録されるディスクタイトルの一例を示した図である。
例えば、上記図３に示したキャラクタセットコードエリアにデフォルトとしてコード情報「１２ｈ」が書き込まれている場合には、光ディスク２には、「Ｓｈｉｆｔ−ＪＩＳ」により表された日時情報が、上記図３に示したｏｔｈｅｒコードエリアに書き込まれることになる。即ち、日本語表記によりディスクタイトル情報が書き込まれることになる。
またこのときの日時情報は、日本語表記に則った表示形態、例えば図６（ａ）に示すような順序で書き込まれることになる。
【００４８】
一方、例えばキャラクタセットコードエリアにデフォルトとしてコード情報「１１ｈ」が書き込まれている場合には、光ディスク２には、「ＩＳＯ８８５９−１」により表された日時情報が、上記図３に示したｏｔｈｅｒコードエリアに書き込まれることになる。即ち、日本語以外の表記によりディスクタイトル情報が書き込まれることになる。またこのときの日時情報の順序も図６（ｂ）（ｃ）に示すような、上記図６（ａ）に示した日本語表記とは異なる形態で書き込まれることになる。なお、この場合、光ディスク２に書き込み可能な文字列は最大２０カラムとされる。
【００４９】
図７は、上記図６に示したようなディスクタイトルの自動記録を実現するために、マイコン４が実行する処理を示したフローチャートである。
この場合、マイコン４は、ステップＳ１０１において、図示していないディスク検出機構などにより光ディスク２が装填されているかどうかの判別を行い、光ディスク２装填されているときはステップＳ１０２に進む。
【００５０】
次に、マイコン４は、ステップＳ１０２において、ＤＶＤ信号処理部１４から光ディスク２のＤＶＤ管理情報を取得し、続くステップＳ１０３において、光ディスク２のリアルタイムデータ記録エリアにデータが記録されているかどうかの判別を行う。
具体的には、マイコン４は、例えばスレッドモータ２１を駆動して光学ヘッド１９を光ディスク２の最内周に移動させ、この最内周側の再生結果をＤＶＤ信号処理部１４から取得することにより、ＤＶＤ管理情報エリアであるＶＭＧエリアのデータを取得し、リアルタイムデータ記録エリアが未記録であるかどうかの判別を行う。
【００５１】
そしてステップＳ１０３において、未記録である判別したときはステップＳ１０４に進み、ステップＳ１０４において、ＤＶＤ管理情報からディスクタイトルが未記録であるかどうかの判別を行う。そして、ステップＳ１０４において肯定結果が得られたとき、光ディスク２にディスクタイトルが記録されていないと判別したときは、ステップＳ１０５進む。
【００５２】
なお、ステップＳ１０３及びステップＳ１０５において否定結果が得られたとき、即ち、光ディスク２のリアルタイムデータ記録エリアにデータが記録されている、若しくは光ディスク２にディスクタイトルが記録されていると判別したときは、ディスクタイトル自動入力処理を終えることになる。
【００５３】
次に、マイコン４は、ステップＳ１０５において、光ディスク２にデータを記録するための記録操作が行われたか否かの判別を行う。
そして、ステップＳ１０５において否定結果が得られたときはステップＳ１０４に戻り、ステップＳ１０４から処理を行うようにされる。このようなステップＳ１０５の処理を肯定結果が得られるまで行う。
そして、ステップＳ１０５において肯定結果が得られたときは、ステップＳ１０６に進み、ステップＳ１０６において計時部２３から日時情報を取得するようにしている。そして続くステップＳ１０７において取得した日時情報からディスクタイトル情報を作成して、所要のタイミングでもって光ディスク２に書き込むようにしている。
【００５４】
このようにすれば、ユーザがディスクタイトルの入力方法を知らない場合や、面倒で行わない場合でも、光ディスク２にディスクタイトルを付けることができる。即ち、光ディスク２のディスクタイトルの未入力を防止するようにしている。これにより、例えば、ユーザがディスクタイトルの入力方法を知らない場合でも、ディスクタイトルを利用して光ディスク２の判別を行うことが可能なり、それだけディスクタイトル機能を有効活用することができる。
【００５５】
また、ディスクタイトルとして、その光ディスク２に１ｓｔ  Ｒｅｃ時の日時を書き込むようにすれば、ディスクタイトルを自動入力した場合でもディスクタイトルが重複することがないので、光ディスク２ごとに固有のディスクタイトルを付けることができる。また、１ｓｔ  Ｒｅｃ時の日時を記録しておくと、ユーザはディスクタイトルからそのデータ内容を把握しやすいといった利点もある。
【００５６】
次に、本実施の形態としての光ディスク装置１において、ユーザ自身がディスクタイトルの入力を行う場合の動作について説明する。
光ディスク装置１においては、ユーザが光ディスク２のディスクタイトルを入力する場合には、モニタ部１２に対して操作画面の表示を行い、この操作画面に対して押圧操作を行うＧＵＩ操作が可能とされる。
【００５７】
図８は、本実施の形態としての光ディスク装置１における操作画面の表示形態例を示した図である。
なお、このような操作画面は、モニタ部１２や外部機器として設けられているモニタに表示されるものである。
【００５８】
この図８（ａ）に示す選択画面５０には、複数の選択が表示された項目表示領域５１が設けられている。
そして、ユーザが「ディスクタイトル」の設定を行う場合には、操作部２２により、この項目表示領域５１から「ディスクタイトル」領域５１ａを選択するようにされる。
【００５９】
ここで、例えば項目表示領域５１から「ディスクタイトル」領域５１ａを選択すると、ハッチを施して示したように「ディスクタイトル」領域だけがハイライト表示領域５１ａとなる。
【００６０】
また、この場合、「ディスクタイトル」領域の右側には、ディスクタイトル表示領域５２が設けられており、光ディスク２にディスクタイトルが記録されているときは、そのディスクタイトルを表示するようにしている。
この図８（ａ）に示す例では、ディスクタイトル表示領域５２に先に説明したディスクタイトル自動入力処理によって光ディスク２に書き込まれたディスクタイトルの一部「２００２  １２・・・」が表示されている。もちろん、ディスクタイトル表示領域５２にディスクタイトル全部を表示することも可能である。
【００６１】
そして、このようにして項目表示領域５１から「ディスクタイトル」領域を選択した状態で、選択画面５０の右下にある「決定」領域５３を押圧する、或いは操作部２２にある図示しない決定ボタンを操作するといった所要の決定操作を行うことで、図８（ｂ）に示すようなディスクタイトル作成画面６０に移行することになる。
なお、画面右下の「終了」領域５４の押圧操作や、操作部２２にあるとされる終了ボタンを操作するといった所要の終了操作により、図８（ａ）に示す選択画面５０を終了することができる。
【００６２】
図８（ｂ）に示すディスクタイトル作成画面６０においては、ユーザが操作部２２を操作して文字選択領域６２のカーソル６２ａを移動させながら文字を選択していくことで、文字入力領域６１に文字を入力していく。そして、文字入力が終わったら、所要の終了操作を行うことで、光ディスク２のディスクタイトルを入力することができる。
【００６３】
図９は、上記図８に示したようなディスクタイトルの入力操作を実現するためにマイコン４が実行する処理を示したフローチャートである。
なお、図９に示す処理は、図８（ａ）に示した選択画面５０の項目表示領域５１から「ディスクタイトル」領域が選択されたときにマイコン４が実行する処理とされる。
この場合、先ず、マイコン４は、ステップＳ２０１において、モニタ部１２上に図８（ｂ）に示したようなディスクタイトル作成画面を表示するための表示制御を実行する。そして、次のステップＳ２０２において、操作部２２の操作に応じた文字入力処理を実行するようにされる。即ち、図８（ｂ）に示した文字選択領域６２で選択された文字を文字入力領域６１に表示するようにしながら文字入力を行うといった文字入力処理を実行する。
【００６４】
そして、ステップＳ２０３において、「終了」操作が行われたと判別したときは、即ち、図８（ｂ）に示した「終了」領域６３や、操作部２２の終了ボタンが操作されたと判別したら、ステップＳ２０４に進む。なお、ステップＳ２０３において、肯定結果が得られるまではステップＳ２０２の処理を行うことになる。そして、ステップＳ２０３において、肯定結果が得られてステップＳ２０４に進んだときは、ステップＳ２０４において、上記図８に示したディスクタイトル作成画面６０の文字入力領域６１に入力された文字情報をディスクタイトル情報として、所要のタイミングでもって光ディスク２に書き込むようにしている。
【００６５】
従って、このような光ディスク装置１によれば、ユーザが光ディスク２のディスクタイトルを自由に付けたり、或いは既に記録されているディスクタイトルの編集などを行うことが可能になる。
【００６６】
また、例えば図８（ａ）に示した選択画面５０の項目表示領域５１から「ディスクタイトル」領域が選択されたときは、この「ディスクタイトル」領域がハイライト表示領域５１ａとなる。またこのとき選択画面５０内にはディスクタイトル表示領域５２が表示され、既に光ディスク２にディスクタイトルが記録されているときは、そのディスクタイトルを表示するようにしている。これにより、ユーザは、再度、ディスクタイトルの入力を行うするときに、現時点において光ディスク２に記録されているディスクタイトルが、ユーザ自身が入力したディスクタイトルか、或いはディスクタイトルの自動入力機能によって入力されたディスクタイトルであるかといったことが容易に把握できる。
【００６７】
ところで、上述したようなディスクタイトルの自動入力機能により、本実施の形態の光ディスク装置１において、光ディスク２にディスクタイトルを記録したとしても、そのディスクタイトルが必ずしもユーザの意志に則ったものであるとは言えない。
また、例えば選択画面５０にディスクタイトル表示領域５２を設けたとしても、ユーザがディスクタイトルを入力するのを忘れ、ユーザが意図しないディスクタイトル（自動入力によるディスクタイトル）のままとされることもある。そして、そのような状態のもとで、例えば光ディスク２のファイナライズを行うと、通常、それ以降はディスクタイトルの入力や変更が行えなくなってしまう。
【００６８】
そこで、本実施の形態としての光ディスク装置１は、光ディスク２のファイナライズを実行する際に、ユーザに対して、光ディスク２に書き込まれているディスクタイトルの確認を促し、ディスクタイトルがユーザの意志に則ったものでない、或いはディスクタイトルが書き込まれていないときは、ファイナライズを実行する前に、ディスクタイトルの入力、編集を行うことができるようにしている。
【００６９】
図１０は、本実施の形態としての光ディスク装置においてファイナライズを実行する際の操作画面の表示形態を示した図である。
先ず、ユーザがファイナライズを実行するには、図１０（ａ）に示す選択画面５０の項目表示領域５１から「ファイナライズ」領域を選択するようにされる。この場合も、例えば項目表示領域５１からファイナライズ項目を選択すると、「ファイナライズ」領域だけがハイライト表示領域５１ａとなり、この状態で所要の決定操作を行うことで、図１０（ｂ）に示すようなファイナライズ画面７０に移行することになる。
【００７０】
図１０（ｂ）に示すように、ファイナライズ画面７０内には項目選択領域７１が設けられている。そして、この項目選択領域７１には「ディスクタイトル」の項目領域が設けられている。
そして、上記図１０（ａ）に示した選択画面５０から図１０（ｂ）に示したファイナライズ画面７０に移行したときは、ファイナライズ画面７０に設けられている項目選択領域７１の「ディスクタイトル」領域が選択された状態となるようにしている。つまり、図１０（ｂ）に示したファイナライズ画面７０の項目選択領域７１では「ファイナライズ」領域がハイライト表示領域７１ａとなる。
【００７１】
また、この場合も「ディスクタイトル」領域の右側には、ディスクタイトル表示領域７２が設けられており、光ディスク２にディスクタイトルが記録されているときは、そのディスクタイトルを表示するようにしている。
【００７２】
従って、ユーザは、項目選択領域７１の「ディスクタイトル」領域が選択された状態で、所要の決定操作を行うだけで、図１０（ｃ）に示すようなディスクタイトル作成画面６０に移行することができる。
そして、この図１０（ｃ）に示すディスクタイトル作成画面６０でディスクタイトルの入力を行い、その画面内の「終了」領域６３や操作部２２の終了ボタンを操作すれば、光ディスク２のディスクタイトルを入力することができる。
そして、この後、ファイナライズ画面７０の項目選択領域７１にある実行領域７１ｂを選択して決定操作を行うことでファイナライズを実行することができる。
【００７３】
従って、このように構成すれば、ユーザがディスクタイトルを良く確認しないで、ファイナライズを行ったとしても、つまり、上記図１０（ａ）に示した選択画面５０内の項目表示領域５１から「ファイナライズ」領域を選択して決定操作を行ったとしても、ファイナライズ画面７０を表示してディスクタイトルの確認と入力や編集を促すことができる。つまり、ファイナライズを行う前に、再度、ユーザにディスクタイトルの確認と入力、編集を促すことが可能なる。
【００７４】
図１１は、上記図１０に示したようなファイナライズを行うときにマイコン４が実行する処理を示したフローチャートである。
なお、図１１に示す処理は、図１０（ａ）に示した選択画面５０の項目表示領域５１から「ファイナライズ」領域が選択決定された状態のもとでマイコン４が実行する処理とされる。
【００７５】
この場合、マイコン４は、ステップＳ３０１において、モニタ部１２に上記図１０（ｂ）に示したファイナライズ画面７０を表示するための表示制御を実行する。
そして次のステップＳ３０２において、ディスクタイトルを入力するための入力操作が行われたか否かの判別を行う。つまり、図１０（ｂ）に示したファイナライズ画面７０に設けられているファイナライズ画面７０の「ディスクタイトル」領域が選択された状態で「決定」領域７３などによる決定操作が行われたかどうかの判別を行うようにされる。
【００７６】
そして、ステップＳ３０２において、肯定結果が得られたときは、ステップＳ３０３に進み、ステップＳ３０３において、ディスクタイトルの入力処理を実行するようにしている。つまり、上記図９に示したようなステップＳ２０１〜Ｓ２０４の処理を実行する。
【００７７】
そして、続くステップＳ３０４において、ファイナライズを実行するための実行操作が行われたかどうかの判別を行う。ディスクタイトルを入力するための入力操作が行われたか否かの判別を行う。つまり、図１０（ｂ）に示したファイナライズ画面７０の実行領域７１ｂが選択された状態で決定操作が行われたかどうかの判別を行う。
【００７８】
そして、ステップＳ３０４において、肯定結果が得られたときは、ステップＳ３０５に進み、ステップＳ３０５においてファイナライズを実行するようにしている。なお、ステップＳ３０４において否定結果が得られたときはステップＳ３０２に戻り、ステップＳ３０２から処理を行うようにする。
これにより、上記図１０に示したようなファイナライズ動作を実現することができる。
【００７９】
次に、本実施の形態としての光ディスク装置１が実行可能なファイナライズ実行処理について説明する。
図１２は、本実施の形態としての光ディスク装置１において、ファイナライズを行った時に表示される操作画面の他の表示形態を示した図である。
この場合も、ユーザがファイナライズを実行するには、図１２（ａ）に示すような選択画面５０の項目表示領域５１から「ファイナライズ実行」領域を選択するようにされる。すると、この場合も「ファイナライズ実行」領域だけがハイライト表示領域５１ａとなる。そして、ユーザはファイナライズを実行する場合には、この状態で、所要の決定操作が行われることで、ファイナライズを実行することになる。但し、この場合にファイナライズが実行されるのは、ユーザ自身が、予め、光ディスク２のディスクタイトルが入力されているときのみファイナライズを行うようにしている。
【００８０】
そして、それ以外のとき、例えばディスクタイトルが未入力であったり、或いは先に述べたディスクタイトル自動入力処理により入力されている場合は、図１２（ｂ）に示すようなディスクタイトル入力選択画面８０に移行するようにしている。
ここで、例えば「Ｙｅｓ」領域８１が選択されたときは、図１２（ｃ）に示すようなディスクタイトル作成画面６０に移行し、このディスクタイトル作成画面６０においてディスクタイトルの作成が完了した時点で、ファイナライズを実行するようにしている。
【００８１】
一方、図１２（ｂ）に示したディスクタイトル入力選択画面８０において、例えば「Ｎｏ」領域８２が選択されたときは、ディスクタイトルの作成を行うことなく、ファイナライズを実行するようにしている。
【００８２】
従って、このようにして光ディスク装置１を構成した場合は、ユーザはファイナライズを実行したときは、ユーザが自身でディスクタイトルの入力を行っていないときのみ、ディスクタイトル入力選択画面８０を表示してディスクタイトルの入力確認を促すことが可能になる。
即ち、この場合はディスクタイトルが記録されていない、或いは記録されていたとしてもユーザの意に反するディスクタイトルが記録されているときのみ、ユーザに対してディスクタイトルの入力を行うかどうか確認を促すようにしている。
【００８３】
このようにすれば、ファイナライズを実行する際のディスクタイトルの確認は、ユーザが自身でディスクタイトルの入力を行っていないときのみでよいものとなる。つまり、ユーザ自身がディスクタイトルの入力を行っていないときだけディスクタイトルの確認を促し、ディスクタイトルの入力、編集の機会を提供することができるようになる。
【００８４】
図１３は、上記図１２に示したようなファイナライズを実現するためにマイコン４が実行する処理を示したフローチャートである。
なお、図１３に示す処理は、上記図１２（ａ）に示した選択画面５０の項目表示領域５１から「ファイナライズ実行」領域が選択決定された状態のもとでマイコン４が実行する処理とされる。
【００８５】
この場合、マイコン４は、先ず、ステップＳ４０１において、装填されている光ディスク２にディスクタイトルが記録されているかどうかの判別を行い、ディスクタイトルが記録されているときはステップＳ４０２に進む。
ステップＳ４０２においては、ディスクタイトルが自動入力により入力されたディスクタイトルであるかどうかの判別を行い、肯定結果が得られたときはステップＳ４０３に進む。
【００８６】
そして、ステップＳ４０３において、上記図１２（ｂ）に示したようなディスクタイトル入力選択画面８０を表示するための処理を実行する。
そして、続くステップＳ４０４において、ディスクタイトルを入力するための入力操作が行われたか否かの判別を行う。つまり、図１２（ｂ）に示した「Ｙｅｓ」領域８１の操作が行われたかどうかの判別を行い、肯定結果が得られたときはステップＳ４０５に進む。
そして、ステップＳ４０５において、ディスクタイトルの入力処理を実行するようにしている。つまり、上記図９に示したようなステップＳ２０１〜Ｓ２０４の処理を実行する。
【００８７】
そして、続くステップＳ４０６において、ディスクタイトルの入力操作が完了したと判別したら、つまり図１２（ｃ）に示したディスクタイトル作成画面６０の「終了」領域６３が操作されたらステップＳ４０７に進む。
そしてステップＳ４０７において、上記ステップＳ４０５において作成されたディスクタイトルを光ディスク２に書き込むようにしている。そして、続くステップＳ４０８においてファイナライズを実行して処理を終えることになる。
【００８８】
なお、ステップＳ４０２及びステップＳ４０４において否定結果が得られたときは、ステップＳ４０８に移行してファイナライズを実行して処理を終えることになる。
これにより、上記図１２に示したようなファイナライズ動作を実現することができる。
【００８９】
また、これまで説明した本実施の形態では、光ディスク２の１ｓｔ  Ｒｅｃ時にディスクタイトルが記録されていなければ、計時部２３から日時情報を取得して、その日時情報をディスクタイトルとして自動記録するようにしているが、例えば、このような日時情報を光ディスク２にボリュームラベルとして自動記録することも可能である。つまり、光ディスク２の１ｓｔ  Ｒｅｃ時において、光ディスク２のボリュームラベルが記録されていなければ日時情報を自動記録することも可能である。
また、ディスクタイトルと同様に、例えばファイナライズを実行する際に、光ディスク２のボリュームラベルをユーザに提示して、ファイナライズを実行する前にボリュームラベルの確認や入力、編集を促すことも可能である。
【００９０】
また、光ディスク２に記録された記録データにおいて、各記録データ単位（ＶＴＳ単位）でタイトルなどを付けられる場合も、記録開始時にタイトルが記録されていなければ、日時情報をタイトルとして自動記録することも可能である。
そして、ファイナライズを実行する際には、記録データ単位ごとのタイトルをユーザに提示して、ファイナライズを実行する前にタイトルの確認や入力、編集を促すことも可能である。
【００９１】
なお、本実施の形態としての光ディスク装置においては、光ディスク２の１ｓｔ  Ｒｅｃ時にディスクタイトルが記録されていなければ、計時部２３から日時情報を取得して、その日時情報をディスクタイトルとして自動記録する場合を例に挙げて説明したがこれはあくまでも一例である。例えば、光ディスク２にディスクタイトルとして日時情報を取得するタイミングなどは任意に設定することが可能である。またディスクタイトルとして記録する情報も、必ずしも日時情報とする必要はない。要は、ユーザがディスクタイトルから光ディスクを識別することができるような固有情報であれば良いものである。
【００９２】
なお、これまで説明した本実施の形態としての光ディスク装置は、可搬型のビデオカメラに搭載されるものとして説明したが、これはあくまでも一例であり、光ディスクにデータ記録を行うことができるＤＶＤレコーダとしての機能を有する機器であれば、全ての装置に及びシステムなどに適用可能である。
【００９３】
また、本実施の形態では、記録媒体として光ディスクを例に挙げて説明したが、これはあくまでも一例であり、記録完了時などにおいてファイナライズを行う必要がある記録媒体であれば、例えば光磁気ディスク、カード型のメモリ記憶媒体、磁気テープなどの各種記録媒体に適用可能である。
【００９４】
また、本実施の形態の光ディスク装置では事前にインストールされた処理プログラムにより一連の処理を実行する場合について述べたが、本発明はこれに限らず、インターネット等のネットワークを介してダウンロードしたプログラムをインストールして実現された光ディスク装置などにも広く適用することができる。
【００９５】
【発明の効果】
以上の説明からわかるように、本発明によれば、記録媒体のファイナライズを行うための選択画面にタイトル表示領域を設け、選択画面を表示するときは記録媒体から読み出したタイトル情報を表示する表示制御を行うようにしている。このようにしてファイナライズの実行前に記録媒体のタイトルを提示し、ユーザに対して、記録媒体に記録されているタイトルの確認や、入力、編集を促すことが可能になる。
【００９６】
また、記録媒体に対してデータの書き込みを行う際に、タイトル情報が書き込まれていないときは、タイトル情報として、記録媒体に固有情報を書き込むようにしているため、記録媒体のタイトルの未入力を防止することができる。
【図面の簡単な説明】
【図１】本発明の実施の形態にかかる光ディスク装置の構成したブロック図である。
【図２】ＤＶＤビデオフォーマットを示した図である。
【図３】ディスクタイトルエリアの構造説明図である。
【図４】ＶＦフォーマットにおけるディスクタイトルの構造を示した図である。
【図５】ＶＲフォーマットにおけるディスクタイトルの構造を示した図である。
【図６】光ディスクに自動記録されるディスクタイトルの一例を示した図である。
【図７】ディスクタイトルの自動入力処理を示したフローチャートである。
【図８】ファイナライズを実行領域が設けられている選択画面の表示態様を示した図である。
【図９】図８に示した選択画面にディスクタイトルの入力操作処理を示したフローチャートである。
【図１０】ファイナライズを実行する際の操作画面の表示形態を示した図である。
【図１１】図１０に示したファイナライズを実行するときの処理を示したフローチャートである。
【図１２】ファイナライズを実行する際の操作画面の他の表示形態を示した図である。
【図１３】図１２に示したファイナライズを実行するときの処理を示したフローチャートである。
【符号の説明】
１  光ディスク装置、２  光ディスク、３  映像入力部、４  マイコン、５  オーディオ入力部、６  圧縮／伸長処理部、７  ヘッダー情報処理部、８  ビデオ処理部、９  １５  ランダムアクセスメモリ、１０  多重化処理部、１１  オーディオ処理部、１２  モニタ部、１３  ビデオ／オーディオエンコーダ、１４信号処理部、１６  アナログフロントエンド部、１８  モーターアンプ部、１９  光学ヘッド、２０  スピンドルモータ、２１  スレッドモータ、２２  操作部、２３  計時部、５０  選択画面、６０  ディスクタイトル作成画面、７０  ファイナライズ画面、８０  ディスクタイトル入力選択画面
【図１】
2004206831.tif 000003
【図２】
2004206831.tif 000004
【図３】
2004206831.tif 000005
【図４】
2004206831.tif 000006
【図５】
2004206831.tif 000007
【図６】
2004206831.tif 000008
【図７】
2004206831.tif 000009
【図８】
2004206831.tif 000010
【図９】
2004206831.tif 000011
【図１０】
2004206831.tif 000012
【図１１】
2004206831.tif 000013
【図１２】
2004206831.tif 000014
【図１３】
2004206831.tif 000015